(57)【要約】      （修正有）【課題】展示用ブースに表示板を取り付ける際、簡単かつ確実に取り付けられるばかりでなく取付部材も低コストで作製することができる取付部材を使用したＬＥＤ照明装置を有する表示板を提供する。【解決手段】ＬＥＤ照明装置を有する表示板は、周囲にフレーム２，３，４，５を取り付けた導光板を使用したＬＥＤ照明装置Ｉを有する表示板ＩＩにおいて、該表示板の両側端部の裏面に上端部にカギ状部を有する取付部材である。上端部にカギ状部を有する取付部材が、水平部に挿入溝を有するＬ型取付部材と挿入用Ｌ型取付部材との組合せからなり、前記挿入溝に、該挿入用Ｌ型取付部材の長脚部が挿入されており、かつこれら水平部にはそれぞれ固定用長孔を有している。【選択図】図２
0003167126.tif 000002
【実用新案登録請求の範囲】
【請求項１】
周囲にフレームを取り付けた導光板を使用したＬＥＤ照明装置を有する表示板において、該表示板の両側端部の裏面に上端部にカギ状部を有する取付部材であって、該取付部材の脚部にネジ孔を有していてもよい取付部材を取り付けたことを特徴とするＬＥＤ照明装置を有する表示板。
【請求項２】
上端部にカギ状部を有する取付部材が、水平部に挿入溝を有するＬ型取付部材と挿入用Ｌ型取付部材との組合せからなり、前記挿入溝に、該挿入用Ｌ型取付部材の長脚部が挿入されており、かつこれら水平部にはそれぞれ固定用長孔を有していることを特徴とする請求項１に記載のＬＥＤ照明装置を有する表示板。
【請求項３】
前記水平部にある挿入溝は、水平部の幅方向の両側が断面コの字形状に形成されていることを特徴とする請求項２に記載のＬＥＤ照明装置を有する表示板。
【請求項４】
前記カギ状部は長孔に蝶ボルトとナットで伸縮自在に調節し得るカギ状部からなることを特徴とする請求項２又は請求項３に記載のＬＥＤ照明装置を有する表示板。
【請求項５】
前記上端部にカギ状部を有する取付部材の脚部中央部に照射光反射板支持部を有することを特徴とする請求項１乃至請求項４のいずれかに記載のＬＥＤ照明装置を有する表示板。
【考案の詳細な説明】
【技術分野】
【０００１】
本考案は、展示用ブースへ取り付けたＬＥＤ照明装置を有する表示板に関するもので、更に詳しくは、展示会場で割り当てられた区画内に設置される展示用ブースの上部の板状フレーム（以下、パラペットともいう。）に取り付けたＬＥＤ照明装置を有する表示板に関するものである。
【背景技術】
【０００２】
展示会は、企業の製品を宣伝する絶好の機会であり、さまざまな企業が割り当てられた区画内に展示用ブースを設置し、その中に製品、特に新製品などの展示品を展示している。このように展示用ブースには、展示品を置くばかりでなく、通常、展示用ブースの前面の上部にあるパラペットには企業の社名の入った看板（以下、社名版という。）が取り付けられていることは周知である。従来は、この社名版は、一般的に、社名印刷用紙などの支持部材に社名等を印刷し、パラぺットに両面テープなどの接着手段により接着して取り付けていた。一方、本実用新案登録出願人は、ＬＥＤを光源として用いる導光板を利用し、光の出射平面が全領域に亘ってムラのない均一な明るさの得られる方形の照明装置を開発し、特許出願した（例えば、特許文献１参照）。
【０００３】
更に本実用新案登録出願人は、前記照射装置をバック照明として使用し、社名版、公告板、駅の時刻表などに用いる用途を開発するに至った。近年、中小企業などによる自社製品の宣伝のために、各企業が集まって開催する展示会が多く行われるようになり、展示スペースも比較的小スペースが多く、したがって、展示用ブースも簡単に組み立てられるものが普及している。
【先行技術文献】
【特許文献】
【０００４】
【特許文献１】特願２０１０−５７３１２（特許請求の範囲、段落００１６〜段落００１７、段落００２０〜段落００２２、段落００２４、図１〜図４）
【考案の概要】
【考案が解決しようとする課題】
【０００５】
このような中で、展示用ブースの正面にあるパラペットの幅は、２００ｍｍ程度と比較的狭いものからなっている。このように幅の狭いパラペットに前述の如き照明装置を利用した社名版などの表示板を取り付ける際、該社名版の大きさが、幅２００ｍｍ乃至１５０００ｍｍ程度かつ長さが５００ｍｍくらいから１５００ｍｍくらいまでの大きさの場合、取付手段として、通常、両面テープ、接着剤、ボルト、ネジ、溶接などで直接取り付けることが考えられるが、この取付手段の場合、取付が不安定であることや取り付けが複雑かつ時間がかかるという問題がある。
【０００６】
そこで、本実用新案登録出願人は、このような照明装置を使用して前述の如き展示用ブースのパラペットに取り付ける、前記照明装置を利用した社名版などの表示板の取付部材について種々検討したところ、パラペット、いわゆる板状フレームに社名版などの表示板を取り付ける取付部材として、先端がカギ状の平板フレームを基本構成とする取付部材を用いることにより、簡単に取り付けられるばかりでなく取付部材も低コストで作製することができるという優れた利便性を有することを見出し、ここに本考案をなすに至った。
【０００７】
したがって、本考案が解決しようとする課題は、展示用ブースのパラペットに照明装置を利用した社名版などの表示板を取り付ける際、該表示板に取り付けた取付部材が、パラペットに簡単に取り付けられるばかりでなく取付部材も低コストで作製することができるという優れた取付部材を使用したＬＥＤ照明装置を有する表示板を提供することにある。
【課題を解決するための手段】
【０００８】
本考案の上記各課題は、以下の各考案によってそれぞれ達成される。
【０００９】
（１）周囲にフレームを取り付けた導光板を使用したＬＥＤ照明装置を有する表示板において、該表示板の両側端部の裏面に上端部にカギ状部を有する取付部材であって、該取付部材の脚部にネジ孔を有していてもよい取付部材を取り付けたことを特徴とするＬＥＤ照明装置を有する表示板。
（２）上端部にカギ状部を有する取付部材が、水平部に挿入溝を有するＬ型取付部材と挿入用Ｌ型取付部材との組合せからなり、前記挿入溝に、該挿入用Ｌ型取付部材の長脚部が挿入されており、かつこれら水平部にはそれぞれ固定用長孔を有していることを特徴とする前記第１項に記載のＬＥＤ照明装置を有する表示板。
（３）前記水平部にある挿入溝は、水平部の幅方向の両側が断面コの字形状に形成されていることを特徴とする前記第２項に記載のＬＥＤ照明装置を有する表示板。
（４）前記カギ状部は長孔に蝶ボルトとナットで伸縮自在に調節し得るカギ状部からなることを特徴とする前記第２項又は第３項に記載のＬＥＤ照明装置を有する表示板。
（５）前記上端部にカギ状部を有する取付部材の脚部中央部に照射光反射板支持部を有することを特徴とする前記第１項乃至第４項のいずれかに記載のＬＥＤ照明装置を有する表示板。
【考案の効果】
【００１０】
本考案の第１項に記載のＬＥＤ照明装置を有する表示板によれば、周囲にフレームを取り付けた導光板を使用したＬＥＤ照明装置を有する表示板において、該表示板の両側端部の裏面に上端部にカギ状部を有する取付部材であって、該取付部材の脚部にネジ孔を有していてもよい取付部材を取り付けたことにより、展示用ブースのパラペットに照明装置を利用した社名版などの表示板を取り付ける際、該表示板に取り付けた取付部材が、パラペットに簡単にかつ確実に取り付けられるばかりでなく取付部材も低コストで作製することができるという優れた効果を奏するものである。また上記の本考案の第２項に記載のＬＥＤ照明装置を有する表示板は、前記第１項記載のＬＥＤ照明装置を有する表示板において、上端部にカギ状部を有する取付部材が、水平部に挿入溝を有するＬ型取付部材と挿入用Ｌ型取付部材との組合せからなり、前記挿入溝に、該挿入用Ｌ型取付部材の長脚部が挿入されており、かつこれら水平部にはそれぞれ固定用長孔を有していることにより、パラペットの厚み如何に左右されずに取付部材を調節してパラペットに取り付けることができるので、取付が簡単、確実かつ短時間でその作業をすることができるという優れた効果を奏するものである。
【００１１】
上記の本考案の第３項に記載のＬＥＤ照明装置を有する表示板は、前記第２項に記載のＬＥＤ照明装置を有する表示板において、前記水平部にある挿入溝は、水平部の幅方向の両側が断面コの字形状に形成されていることにより、パラペットの厚み如何に左右されずに取付部材を調節してパラペットに取り付けることができるばかりでなくスライド性に優れているので、取付が簡単、確実かつ短時間で容易にその作業をすることができるという優れた効果を奏するものである。
【００１２】
上記の本考案の第４項に記載のＬＥＤ照明装置を有する表示板は、前記第２項又は第３項に記載のＬＥＤ照明装置を有する表示板において、前記カギ状部は長孔に蝶ボルトとナットで伸縮自在に調節し得るカギ状部からなることにより、取付操作が容易でしかも強固に安定して取り付けられるという優れた効果を奏するものである。また上記の本考案の第５項に記載のＬＥＤ照明装置を有する表示板は、前記第１項乃至第４項のいずれかに記載のＬＥＤ照明装置を有する表示板において、前記上端部にカギ状部を有する取付部材の脚部中央部に照射光反射板支持部を有することにより、照射光反射板を取り付ける場合、展示用ブース内の照明としてもしようでき、展示用ブース内が明るく、快適になり、作業の効率化を促進することができるという優れた効果を奏するものである。
【図面の簡単な説明】
【００１３】
【図１】本考案に用いられるＬＥＤ照明装置を示す平面図である。
【図２】図１に示されるＬＥＤ照明装置をバックライトとして使用したところを示す表示板の展開図である。
【図３】図１に示されるＬＥＤ照明装置をＡ−Ａ′の一点鎖線に沿って切断して見た断面図である。
【図４】本考案に用いられるＬＥＤ照明装置の別の例の展開図である。
【図５】本考案に用いられるＬＥＤ照明装置の背面に取付部材を取り付けたところを示す斜視図である。
【図６】本考案の表示板に取り付けられる取付部材を示す斜視図である。図６のａは、短脚金具からなる取付部材を示す斜視図である。図６のｂは、長脚金具からなる取付部材を示す斜視図である。
【図７】本考案に用いられる伸縮自在の取付部材を示す斜視図である。図７のａは、その斜視図である。図７のｂは、その取付部材をＢ−Ｂ′の点線に沿って切断して見た断面図である。図７のｃは、挿入溝を有しないＬ型取付部材である。
【図８】本考案に係る取付部材で取り付けたＬＥＤ照明装置及び該照明光反射板を有する表示板を示す斜視図である。
【図９】本考案に係る取付部材を示す斜視図である。
【図１０】本考案に用いられる表示板同士を接続するところを示す斜視図である。
【図１１】本考案の表示板を展示用ブースに取り付けられた一例を示す斜視図である。
【考案を実施するための形態】
【００１４】
以下に、本考案の実施の形態を図面で説明するが、本考案は、これに限定されるものではない。本考案は、周囲にフレームを取り付けた導光板を利用したＬＥＤ照明装置を有する表示板において、該照明装置の両側端部に上端部にカギ状部を有する平板状取付部材であって、該取付部材の脚部にネジ孔を有していてもよい取付部材を取り付けたことを特徴とするものである。
【００１５】
本考案に係るＬＥＤ照明装置Ｉは、特願２０１０−５７３１２に詳しく記載されているが、図１に示されるように、このＬＥＤ照明装置Ｉは、広告情報や社名版などが表示されたサインボードのバックライトとして用いるのが好ましいものであり、特に、本考案では展示用ブースのパラペット面に取り付けて用いることが好ましい。またこのＬＥＤ照明装置Ｉを本考案の表示板に用いる場合には、この大きさは任意であり、必要に応じて適宜その大きさを決定することができる。したがって、本明細書では、ＬＥＤ照明装置を一例として説明している場合でも、常に印刷物などのバックライトとして使用する場合も含む、いわゆる、表示板を構成する意味にも用いている。本考案に係るＬＥＤ照明装置Ｉは、具体的には、周囲を囲むフレーム２，３，４，５を有している。更に具体的には、図２の展開図から明らかなように、長さ方向の上下のフレーム４，５にはＬＥＤ基板６が配置されている。この基板６には、複数のＬＥＤ光源７を有している。このＬＥＤ照明装置Ｉを印刷物２５の背面にバックライトとして配置して表示板ＩＩとすることもできる。図３には、本考案に係るＬＥＤ照明装置Ｉの断面図が示されており、この照明装置Ｉの内部構造は、拡散板１６、導光板１７、ＬＥＤ光反射板１８、背板１９が順に積層されている。更に、この積層部材は、フレーム２，３，４、５で囲まれ、フレーム４，５には、ＬＥＤ基板６を内蔵している。この照明装置Ｉは、ＬＥＤ基板６の光源７からの光が導光板３を進行し、ＬＥＤ光反射板１８で反射し、拡散板１７を透過してその表面から照射される。この照明装置Ｉは、バックライトとして使用されるが、通常、照明としても使用される。図４に示されるＬＥＤ照明装置Ｉは、ＬＥＤ基板を片側にのみ有する例であり、比較的小さい表示板や幅の狭い表示板などに使用するのに適している。
【００１６】
図５に示される照明装置Ｉは、その裏面の両側端部にあるフレーム２，３にカギ型取付部材８，８を取付たものであり、この取付には金具の脚に有するネジ孔９にネジで締め付けて取り付ける。カギ型取付部材８，８が取り付けられた照明装置Ｉの表面に印刷物２５（図２参照）を配置して表示板ＩＩとし、展示用ブースにカギ型部を引っ掛けて設置する。この場合、更に、必要に応じて、カギ型取付部材８の脚部とブースとを両面テープ等の接着手段で接着してもよい。これにより取付がいっそう安定性を増す。
【００１７】
図６及び図７は、本考案に係る取付部材の種類を示したもので、図６のａに示されるものは、カギ型取付部材８２であり、かつ脚部が短脚金具４１からなる。また図６のｂは、脚部が長脚金具４２からなり、これらは、照明装置Ｉ又は表示板ＩＩの大きさを考慮して適宜選択して用いることができる。この場合も、取り付け方は、図５に示される照明装置Ｉ又は表示板ＩＩと同様にして取り付けることができる。図７に示されるカギ型取付部材８６は、挿入溝を有するＬ型取付部材８６ａと挿入用Ｌ型取付部材８６ｂとの組合せから構成されている。即ち、Ｌ型金具８６ａには、上面水平部８５ａに長孔１２ａを有すると共に、該水平部８５ａは、断面において両端にコの字形８８ａ、８８ｂが対峙した形状（挿入溝）からなり、ここにＬ形金具（カギ部）８６ｂの長形水平部８５ｂをスライド可能に挿入する。この長形水平部８５ｂには長孔１２ｂを有しており、両長孔１２ａ、１２ｂに蝶ボルト１０を挿入してボルトで留める。これにより必要な幅にスライドして展示用ブースのパラペットの厚みに簡単に合わせて使用することができる。ここでは蝶ネジとナットの例で説明したが、蝶ネジに限ることなく、ネジやボルトとナットの種類には限定されない。図７のｃは、挿入溝を有しないＬ型取付部材の場合であり、この場合は、Ｌ型取付部材の幅方向の両端側にあるコの字形の溝を有していない。したがって、使用に際しては、Ｌ型取付部材同士８９ａ、８９ｂがカギ型形になるように配置した後、蝶ボルト１０とナット１１で締め付けて両者を接続固定する。Ｌ型取付部材同士８９ａ、８９ｂ、蝶ボルト１０とナット１１でカギ型取付部材を形成する順序は、特に限定されないが、予めこれらを用いてカギ型取付部材９０を作製しておいてもよい。更に図７に示されるカギ型取付部材において、ネジやボルトを用いて締め付けるとき、ワッシャー（図示していない。）を用いてもよいことは言うまでもない。
【００１８】
図８は、本考案に用いられる両面から照明光が照射されるＬＥＤ照明装置（以下、両面照射照明装置という。）ＩＩＩを有する表示板であって、この両面照射照明装置ＩＩＩは、両面から照射光２４，２４が照射される。この両面照射照明装置ＩＩＩは、図１のＬＥＤ照明装置と同様に周囲は、フレームで覆われており、その両端部のフレームには、カギ型取付部材２１が取り付けられ、このカギ型取付部材２１には、照明光反射板１３を取り付けるための水平の照射光反射板支持部２３を有している。図９には、照射光反射板支持部２３を有するカギ型取付部材２１が示されている。照明光反射板１３の取付は、両名テープ、接着剤、ネジ、ボルトとナットなど通常の取付手段を用いて取り付けることができる。
【００１９】
図１０は、本考案の表示板ＩＩを２個接続した場合を示す斜視図である。表示板ＩＩの一方の端部には電気的に接続するための電気接続プラグ１５を有し、また他方の端部には、電気接続孔１４を有している。２個の表示板ＩＩａ，ＩＩｂを接続する場合には、一方の表示板ＩＩａの電気接続プラグ１５を別の表示板ＩＩｂの他方の電気接続孔１４に嵌入することにより電気的に接続される。複数の表示板ＩＩの接続も同様に順次、電気接続プラグ１５を電気接続孔１４に嵌入することにより簡単に電気的接続ができる。図１１は、展示用ブースの一例を示しており、この展示用ブース３１は、支柱３４、パネル３３等で支持されたパラペット３２を有し、このパラペット３２の中央部に本考案の表示板ＩＩからなる社名版３５を有している。更にこの展示用ブース３１には、カタログ、商品サンプルや名刺入れなどを置くためのテーブルや椅子等を置くスペースがあり、またパネル３３の内側には商品を展示するための棚などが設けられる。このような展示用ブース３１は、社名版３５が本考案のＬＥＤ照明装置を有する表示板ＩＩから構成されているため、社名版が明るく、かつ均一でむらのない表面が得られるので、目立ち易く、しかもその取付が簡単かつ容易で、取付部材も低コストで作製することができるという優れた取付部材を有する照明装置を利用した表示板が得られる。更に図８に示されるような両面照射用の表示板を使用することにより、背面からの光照射により展示用ブース内にも照明され、展示用ブース内を明るく快適な場所にすることができる。したがって、展示用ブース内に設けられている照明用電球を省くか又は適宜の数に減少させることができる。
【産業上の利用可能性】
【００２０】
本考案では、前述の如き作用効果を発揮するので、その用途としては、展示用ブースのパラペット部分に取り付ける社名版や広告用の表示板として極めて有用であり、かつ取付が簡単、確実でかつ低コストで、展示用ブースや店舗用など各種の用途に使用することができ、実用上極めて有用な表示板が得られる。
【符号の説明】
【００２１】
Ｉ  ＬＥＤ照明装置
ＩＩ、ＩＩａ、ＩＩｂ  表示板
ＩＩＩ  両面から照射光が照射されるＬＥＤ照明装置（両面照射照明装置）
２  、３，４，５  フレーム
２１、８２、８３、８６、９０  カギ型取付部材
６  ＬＥＤ基板
７  ＬＥＤ光源（ＬＥＤともいう）
８、８４、８５、８７  カギ部
９  ネジ孔
１０  蝶ボルト（蝶ネジ）
１１  ナット
１２、１２ａ、１２ｂ  長孔
１３  照明光反射板
１４  電気接続孔
１５  電気接続突起（プラグ）
１６  拡散板
１７  導光板
１８  ＬＥＤ光反射板
１９  背板
２３  照明光反射板支持部
２４  照射光
２５  印刷物
３１  展示用ブース
３２  パラペット（ブースフレーム）
３３  パネル
３４  支柱
３５  表示板（社名版など）
４１  短脚金具
４２  長脚金具
８１  金具の端部
８５ａ  上面水平部
８５ｂ  長形水平部
８６ａ  挿入溝を有するＬ型取付部材
８６ｂ  挿入用Ｌ型取付部材
８８ａ、８８ｂ  コの字形
８９ａ、８９ｂ  Ｌ型取付部材
【図１】
0003167126.tif 000003
【図２】
0003167126.tif 000004
【図３】
0003167126.tif 000005
【図４】
0003167126.tif 000006
【図５】
0003167126.tif 000007
【図６】
0003167126.tif 000008
【図７】
0003167126.tif 000009
【図８】
0003167126.tif 000010
【図９】
0003167126.tif 000011
【図１０】
0003167126.tif 000012
【図１１】
0003167126.tif 000013